(57)【要約】【課題】コンクリート製構築物の壁面の補修作業において、足場を組む必要が無いので水力の影響も受けないし、荒天による撤去作業は迅速に行うことができるので補修工事自体は効率的に行うことが出来、また台風等の到来や通過後に速やかに対応きるので作業期間を大幅に短縮でき、作業費も大幅に削減できる構築物補修用移動式作業台を提供する。【解決手段】防波堤５２上を移動する支持台車２には、移動方向に対して直角方向に突出し、先端側下端に支持用車輪８Ｅを有するマスト８を備えた左右一対の支持枠部７からなる移動支持体６が設けてある。支持台車２に基端側を連結した基端側足場体９の先端側に中間足場体１２が回動可能に連結してある。中間足場体１２の先端側に先端側足場体１３が回動可能に連結してある。足場体９、１２、１３は足場体昇降機構１４によって防波堤５２に対して昇降する。【選択図】図１
2018066215.tif 000002
【特許請求の範囲】
【請求項１】
構築物上を移動可能な支持台車と、該支持台車の移動方向に対して直角方向に支持台車から突設され、前記構築物上を転動する車輪を先端側に有するマストを備えた支持枠部からなる左右一対の移動支持体と、該移動支持体間に位置して、基端側が前記支持台車に回動可能に連結され、先端側に前記構築物に当接する緩衝体を有する一対の基端側足場材で構成される基端側足場体と、基端側が該基端側足場体の先端側に係脱可能かつ回動可能に連結され、先端側下面に車輪を有する一対の先端連結足場材からなる先端側足場体と、前記基端側足場体及び先端側足場体を夫々構成する各一対の足場材間に着脱可能に架設される足場板と、前記マストの上端側に設けた滑車を介して前記先端側足場体と地上側に配置する駆動源との間に張設した昇降用ワイヤを伸縮させることにより、前記基端側足場体及び先端側足場体を前記構築物に対して昇降させる足場体昇降機構とから構成してなる構築物補修用移動式作業台。
【請求項２】
前記支持台車は、前記構築物上に敷設したガイドレールに走行輪が係合する構成にしてあることを特徴とする請求項１記載の構築物補修用移動式作業台。
【請求項３】
前記基端側足場体と先端側足場体との間に、基端側を該基端側足場体に連結し、先端側を前記先端側足場体の基端側に連結し、先端側に前記構築物に当接する緩衝体を設けて構成した中間足場体を係脱可能に設けてある請求項１記載の構築物補修用移動式作業台。
【請求項４】
前記基端側足場体、中間足場体及び先端側足場体は、長手方向に昇降用踏板を列設して構成してあることを特徴とする請求項１又は３記載の構築物補修用移動式作業台。
【請求項５】
前記中間足場体は、一対の中間連結足場材間に拡開防止杆を架設することにより所定の間隔に保持してある請求項３記載の構築物補修用移動式作業台。
【請求項６】
前記基端側足場体、中間足場体及び先端側足場体には、安全柵又は安全索を着脱可能に設けてあることを特徴とする請求項１又は３記載の構築物補修用移動式作業台。
【発明の詳細な説明】
【技術分野】
【０００１】
本発明は、岸壁、防波堤、ダム等の壁面で、平坦面に限らず傾斜面、段付き屈曲面、湾曲面等からなる壁面を有するコンクリート製構築物を陸上から補修するための構築物補修用移動式作業台に関する。
【背景技術】
【０００２】
例えば、海岸には打ち寄せる波から道路、通行車両、歩行者を守るためにコンクリート製の防波堤を設置しているが、高波が寄せる海岸ではコンクリート製の半円弧状構築物を道路を覆うように構築することが行われている。しかし、このような波の影響を受ける防波堤は波力や塩分に長期間晒されることからコンクリート層が次第に劣化し、亀裂が形成され、終には破損する事態も生じている。
そこで、コンクリート製の構築物については補修、補強作業を行う必要があるが、防波堤の場合従来は構築物に沿って海底から足場を組み上げて設置し、この足場の上で作業員が損傷個所を削ってモルタルを塗布し、或いは亀裂にモルタルを加圧充填する等の作業を行っており、足場の範囲で補修作業を終えたら足場を次の補修箇所に移動させて補修作業を行う、また補修作業が終了したら足場を解体する作業を行っている。
【０００３】
しかし、構築物の壁面が傾斜面、段付き屈曲面或いは湾曲面の場合には、壁面に沿って足場を組むことが困難か、不可能な場合があり、このような平坦面でない壁面の補修作業に対応できる手段が求められている。
また、護岸や防波堤等の補修箇所は海や川に面しているため、補修工事を行うには海底や川底から足場を組み立てなければならない、補修工事の前後に足場の組立及び解体のための日数を要する、工事中波力の影響を受ける、といった諸事情から工事を円滑に進行できないという問題、台風や低気圧の接近で海が荒れると予想される場合にはその都度足場を解体して撤去しなければならず、工事進行に多大な影響を受けるといった問題、更には作業費が多大に嵩むという問題が生じる。
【０００４】
更に、長さのある構築物の補修作業を従来の足場を用いて行う施工方法では、足場を組み立てる、補修作業を行う、足場を解体する、横移動する、再び足場を組み立てる、補修作業を行うという作業を繰り返し行う必要があるため、作業効率を高めるには限界があり、作業完了までに長期間を要し、かつ作業費が嵩むという問題点がある。
【先行技術文献】
【特許文献】
【０００５】
【特許文献１】見出せず。
【発明の概要】
【発明が解決しようとする課題】
【０００６】
本発明は上述した従来技術の問題点に鑑みなされたもので、コンクリート製構築物の傾斜面、段付き屈曲面或いは湾曲面等の異形の壁面の補修に対応でき、海底や川底から足場を組み立てる必要が無いので波力の影響も殆ど受けないし、荒天による撤去作業は迅速に行うことができるので補修工事自体を効率的に行うことが出来、しかも台風等の到来や通過後に速やかに足場の撤去や設置ができるので作業期間を従来技術に比べて大幅に短縮でき、作業費も大幅に軽減することができる構築物補修用移動式作業台を提供することを目的とする。
【課題を解決するための手段】
【０００７】
上述した課題を解決するために構成した本発明の手段は、構築物上を移動可能な支持台車と、該支持台車の移動方向に対して直角方向に支持台車から突設され、前記構築物上を転動する車輪を先端側に有するマストを備えた支持枠部からなる左右一対の移動支持体と、該移動支持体間に位置して、基端側が前記支持台車に回動可能に連結され、先端側に前記構築物に当接する緩衝体を有する一対の基端側足場材で構成される基端側足場体と、基端側が該基端側足場体の先端側に係脱可能かつ回動可能に連結され、先端側下面に車輪を有する一対の先端連結足場材から構成してなる先端側足場体と、前記基端側足場体及び先端側足場体を夫々構成する各一対の足場材間に着脱可能に架設される足場板と、前記マストの上端側に設けた滑車を介して前記先端側足場体と地上側に配置する駆動源との間に張設した昇降用ワイヤを伸縮させることにより、前記基端側足場体及び先端側足場体を前記構築物に対して昇降させる足場体昇降機構とからなる。
【０００８】
そして、前記支持台車は、前記構築物上に敷設したガイドレールに走行輪が係合する構成にするとよい。
【０００９】
また、前記基端側足場体と先端側足場体との間に、基端側を該基端側足場体に連結し、先端側を前記先端側足場体の基端側に連結し、先端側に前記構築物に当接する緩衝体を設けて構成した中間足場体を係脱可能に設けてもよい。
【００１０】
また、前記基端側足場体、中間足場体及び先端側足場体は、長手方向に昇降用踏板を列設した構成にするとよい。
【００１１】
更に、前記中間足場体は、一対の中間連結足場材間に拡開防止杆を架設することにより所定の間隔に保持するとよい。
【００１２】
また、前記基端側足場体、中間足場体及び先端側足場体には、安全柵又は安全索を着脱可能に設けるとよい。
【発明の効果】
【００１３】
本発明は上述の如く構成したから下記の諸効果を奏する。
（１）構築物の上面に配置する支持台車により、構築物の壁面に対面する足場体を支持する構成にしたから、波力や流水力の影響を受ける水中に足場を組み立てる必要が無く、足場の組立、解体といった従来の作業が無いので補修作業全体の効率化を図ることができるし、従来技術と比べて作業期間を大幅に短縮することができるので補修作業のコストを大幅に節減することができる。
（２）支持台車は構築物に沿って移動可能であるから、長さのある構築物の補修作業を円滑かつ効率的に行うことができる。
（３）支持台車は、走行輪がガイドレールに係合する構成にしてあるから、足場体を確実かつ安定性良く支持することができるし、支持台車及び足場体は円滑に移動することができる。
（４）基端側足場体と先端側足場体との間に中間足場体を係脱可能に設ける構成にすることで、高さのある補修壁面の補修作業にも対応することができる。
（５）基端側足場体、中間足場体及び先端側足場体は、長手方向に昇降用踏板を列設して構成することにより、補修作業を効率良く、円滑にかつ安全に行うことができる。
（６）中間足場体は、一対の中間連結足場材間に拡開防止杆を架設することにより一定の間隔に保持するので補修作業を安全に、また安心して行うことができる。
（７）基端側足場体、中間足場体及び先端側足場体に、安全柵又は安全索を着脱可能に設けるから、作業員は安心して作業に従事することができるし、補修作業中の落下等の事故を未然に防ぐことができる。
【図面の簡単な説明】
【００１４】
【図１】本発明の実施の形態に係る構築物補修用移動式作業台の全体構成を示す側面図である。
【図２】構築物補修用移動式作業台の正面図である。
【図３】構築物補修用移動式作業台の部分平面図である。
【図４】支持台車の部分平面図である。
【図５】支持台車の側面図である。
【図６】構築物補修用移動式作業台を構成する足場体の説明図である。
【図７】構築物補修用移動式作業台の撤去作業の説明図である。
【発明を実施するための形態】
【００１５】
以下、本発明の実施の形態を図面に基づき詳述する。先ず、本実施の形態に係る構築物補修用移動式作業台を用いて補修する構築物の防波堤について説明する。図１及び図７において、５１は海岸に沿って設けた車道で、該車道５１の左側が海である。５２は該車道５１に波が被らないように車道５１に沿って海岸に構築した防波堤で、該防波堤５２は道路５１を覆う湾曲状に形成してあり、車道５１に沿って数百ｍの長さからなっている。
【００１６】
図１及び図３において、１、１は前記防波堤５２の湾曲した上面５２Ａに平行に敷設してアンカーで固定した一対のガイドレールを示す。該ガイドレール１、１はコ字型チャンネル材１Ａ、１Ａを敷設し、各チャンネル材１Ａの上面に長尺の鋼板からなるガイド板１Ｂを固着して構成してある。そして、後述する支持台車２が安定して移動可能なように、各ガイドレール１と防波堤５２の間に厚さの異なるスペーサー１Ｃ、１Ｄを介在させて一対のガイドレール１、１が同一平面になるように設定してある。
【００１７】
２は構築物補修用移動式作業台を構成し、ガイドレール１、１上を矢示イ方向に移動する支持台車を示す。該支持台車２は鋼材を略四角形に組んだ枠体３Ａ内にメッシュ鋼板の踏板３Ｂを張設した長方形のデッキ３と、該デッキ３の前側及び後側の両位置に組付けた左右一対の走行機構４、４と、前記枠体３Ａに立設した安全柵５とから構成してあり、図示しない牽引車で走行するようにしてある。
ここで、該各走行機構４は、図４、図５に示すように、四角形の枠部４Ａと、該枠部４Ａ内に軸支され、各ガイドレール１のガイド板１Ｂを両側方から挟む外側及び内側の一対の挟持用車輪４Ｂ、４Ｃと、枠部４Ａに軸支され、ガイド板１Ｂ上を転動する走行用車輪４Ｄとから構成してあり、外側の挟持用車輪４Ｂはガイド板１Ｂの縁を咥える溝付車輪にすることにより、支持台車２がガイドレール１、１に確実に係合して浮上がることなく安全に走行できるようにしてある。
また、枠部４Ａには正面から見て左右の位置に後述する基端側足場体９を連結するための一対の連結片４Ｅ、４Ｅが突設してあり、該各連結片４Ｅの先端側にはピン穴４Ｆが形成してある。
【００１８】
６、６は前記支持台車１の右側と左側の位置に基端側を固着し、先端側を支持台車２の移動方向イに対して直角方向に突出した左右一対の移動支持体を示す。７、７は該各移動支持体６を構成する一対の支持枠部を示し、該各支持枠部７は鋼材７Ａ、７Ａ、・・・を横長方形の箱型に組んで構成し、基端側をデッキ３に夫々固着し、先端側を防波堤５２から横方向に突出させた状態になっている。
【００１９】
８、８は前記支持枠部７、７の先端に夫々立設した一対のマストを示す。該各マスト８は一対の鋼材からなるマスト材８Ａ、８Ａを前記支持枠部７の先端に固着して起立させ、その上端、中間及び下端に連結材８Ｂ、８Ｃ、８Ｄを夫々架設し、マスト材８Ａを斜め支持材８Ｅで支持して構成してあり、各マスト８の下端に防波堤５２上を転動する支持用車輪８Ｅを設けることで移動支持体６、６は支持台車２と一体に左右方向に移動可能になっている。
【００２０】
９、９は前記一対の移動支持体６、６の間に位置して支持台車２に連結することにより、防波堤５２の上面５２Ａに配置する左右一対の基端側足場体を示す。該各基端側足場体９は鋼材からなり、並列する一対の基端側足場材９Ａ、９Ａと、該基端側足場材９Ａ、９Ａ間に架設して長手方向に列設した複数の昇降用踏板９Ｂ、９Ｂ、・・・と、側方手摺９Ｃとから構成してある。そして、各基端側足場材９Ａは基端側９Ｄにピン穴９Ｅが形成してあり、支持台車２の連結片４Ｅのピン穴４Ｆに連結ピン１０を挿嵌して連結することにより、防波堤５２の湾曲する上面５２Ａに沿って上下方向に回動可能になっている。また、基端側足場材９Ａの先端側９Ｆには取付板とばねとロッドで構成した緩衝体１１が設けてあり、防波堤５２の上面５２Ａに対する衝撃を緩衝するようにしてある。
【００２１】
１２、１２は前記一対の基端側足場体９、９の各先端側９Ｆに連結して防波堤５２の上面５２Ａに配置する左右一対の中間足場体を示す。該各中間足場体１２は鋼材からなり、並列する一対の中間連結足場材１２Ａ、１２Ａと、該中間連結足場材１２Ａ、１２Ａ間に架設して長手方向に列設した複数の昇降用踏板１２Ｂ、１２Ｂ、・・・と、側方手摺１２Ｃとから構成してあり、中間連結足場材１２Ａの先端側１２Ｄには前記緩衝体１１が同様に設けてある。
そして、各中間連結足場材１２Ａは基端側１２Ｅを前記基端側足場材９Ａの先端側９Ｄと連結ピン１０により連結してあり、防波堤５２の湾曲した上面５２Ａに沿って上下方向に回動可能になっている。
【００２２】
１３、１３は前記一対の中間足場体１２、１２の先端側１２Ｄに連結して防波堤５２の上面５２Ａ或いは地盤Ｇ上に位置する左右一対の先端側足場体を示す。該各先端側足場体１３は鋼材からなり、並列する一対の先端連結足場材１３Ａ、１３Ａと、該先端連結足場材１３Ａ、１３Ａ間に架設して長手方向に列設した複数の昇降用踏板１３Ｂ、１３Ｂ、・・・と、側方手摺１３Ｃと、先端連結足場材１３Ａの先端側１３Ｄに設けた移動用車輪１３Ｅとから構成してある。
そして、先端連結足場材１３Ａの基端側１３Ｆは中間連結足場材１２Ａの先端側１２Ｄと連結ピン１０によって連結してあり、先端側足場体１３、１３は防波堤５２の上面５２Ａ上及び地盤Ｇ上を移動可能になっている。また、移動用車輪１３Ｅより先端に位置して緩衝体１１が設けてある。
【００２３】
１４は前記中間足場体１２及び先端側足場体１３を昇降させるための足場体昇降機構を示す。該足場体昇降機構１４は中間足場体１２の先端側１２Ｄに一端を連結した昇降用ワイヤ１４Ａと、地盤Ｇに設置し、該昇降用ワイヤ１４Ａの他端側を巻き取り、巻き戻するウインチ１４Ｂ（図示せず。）と、前記マスト８の連結材８Ｂ、８Ｂに設けられ、該ワイヤ１４Ａの中間部位を支持する滑車１４Ｃとから構成してある。
そして、ウインチ１４Ｂで昇降用ワイヤ１４Ａを巻き取ることにより、図１に一点鎖線で示すように中間足場体１２、１２と先端側足場体１３、１３が引き上げられて折り畳んだ状態で防波堤５２から離間し、更に引き上げることによって基端側足場体９も先端側９Ｄが引き上げられることで、足場体９、１２，１３は移動可能な状態になる。
【００２４】
１５は作業台で、該作業台１５は防波堤５２の補修箇所に応じて各足場体９、１２、１３に着脱可能に係着することにより使用するものである。１６は中間足場体１２、１２間に設けた拡開防止杆で、該拡開防止杆１６は金属棒の両端に鈎を設けた構成からなり、両端の鈎を中間連結足場材１２Ａ、１２Ａに係着して架設することで、中間足場体１２、１２が不用意に拡開することなく安心して作業を行うことを確保するものである。
また、１７は金属棒を組んで構成した安全柵で、該安全柵１７は各足場体９、１２、１３に着脱可能に設けることで、作業時の作業員の安全を図っている。なお、上記安全柵１７に代えてロープ等の安全索を用いてもよい。
【００２５】
本実施の形態は上述の構成からなるもので、次にその作用について説明する。
先ず、補修対象である防波堤５２の上面５２Ａにガイドレール１、１を長手方向に沿って敷設し、アンカーで固定する。次に、クレーン車により支持台車２を吊上げてガイドレール１、１に設置し、挟持用車輪４Ｂ、４Ｃをレール１に係合させる。次いで、移動支持体６、基端側足場体９、中間足場体１２、先端側足場体１３を防波堤５２上に順次吊上げて連結ピン１０により連結することで防波堤５２上に構築物補修用移動式作業台の設置が完了する。
この場合、必要に応じて中間足場体１２と先端側足場体１３の間に他の中間足場体１２を連結することで防波堤５２の縦方向の全体に足場を設置することができる。
【００２６】
このようにして防波堤５２上に設置した構築物補修用移動式作業台を用いて防波堤５２の補修作業を行うが、各足場体９、１２、１３には昇降用踏板９Ｂ、１２Ｂ、１３Ｂが設けてあるから、作業員は安全に、効率良く補修作業を行うことができるし、安全柵５、１７を設けることにより強風や荒波に対して作業員の安全を確保している。
【００２７】
補修作業が完了したら、構築物補修用移動式作業台を次の補修箇所に移動する。この場合は、足場体昇降機構１４により地上のウインチ１４Ｂを作動して昇降用ワイヤ１４Ａを巻き取り、中間足場体１２を吊上げることで先端側足場体１３も一体に吊上げる。この際、先端側足場体１３には移動用車輪１３Ｅが設けてあるから、地盤Ｇの上でも防波堤５２の上でも先端側足場体１３は円滑に移動して吊上げられた状態になる。
しかる後、支持台車２を図示しない牽引車によって矢示イ方向に移動させる。この支持台車２と一体に移動支持体６及び各足場体９、１２、１３が移動するから、短時間で容易に足場の移設が可能であるし、海や川が荒れる恐れがある場合には足場体９、１２、１３を折り畳むことで速やかに対応することが出来る。
【００２８】
上記の手順を繰り返して防波堤５２の補修作業が完了したら、図７に示すように、先端側足場体１３、中間足場体１２、基端側足場体９、移動支持体６、支持台車２の順でクレーン車５３により撤去し、最後にガイドレール１を防波堤５２上から撤去することで構築物補修用移動式作業台の撤去作業が終了する。この撤去作業は全て陸上から行うことが可能であるから、従来の足場解体に比して作業日数を大幅に減らすことができる。
【００２９】
なお、本実施の形態では支持台車２は牽引式に構成したが、自走式或は押動式に構成してもよい。
【００３０】
また、本実施の形態では基端側足場体９と先端側足場体１３との間に中間足場体１２を連結する構成を説明したが、構築物の大きさに応じて更に他の中間足場体１２を連結してもよい。また、中間足場体１２を用いずに基端側足場体９に先端側足場体１３を連結する構成にしてもよい。この場合は先端側足場体１３の基端側１３Ｆに昇降用ワイヤ１４Ａを連結して吊上げる。
【符号の説明】
【００３１】
１        ガイドレール
２        支持台車
４Ｂ、４Ｃ  車輪
６        移動支持体
７        支持枠部
８        マスト
８Ｅ      支持用車輪
９        基端側足場体
９Ａ      基端側足場材
９Ｂ、１２Ｂ、１３Ｂ  昇降用踏板
１１      緩衝体
１２      中間足場体
１３      先端側足場体
１３Ｅ    移動用車輪
１４      足場体昇降機構
１４Ａ    昇降用ワイヤ
１４Ｂ    ウインチ（駆動源）
１４Ｃ    滑車
１５      作業台
１６      拡開防止杆
１７      安全柵
５２      防波堤（構築物）
【図１】
2018066215.tif 000003
【図２】
2018066215.tif 000004
【図３】
2018066215.tif 000005
【図４】
2018066215.tif 000006
【図５】
2018066215.tif 000007
【図６】
2018066215.tif 000008
【図７】
2018066215.tif 000009